(57)【特許請求の範囲】
【請求項１】
血液などの検体を検査するための装置において、試薬容器を載置するホルダーの試薬容器の載置面が、傾斜面に形成されていて、試薬容器を傾斜姿勢で載置できるようにしてあるとともに、前記試薬容器と一直線上に配置される試薬受容セルのセル体の上面が前記試薬容器の傾斜する方向に同程度傾斜した傾斜面に形成されていることを特徴とする試薬容器の傾斜設置装置。
【請求項２】
血液などの検体を検査するための装置において、試薬容器を載置するホルダーの試薬容器の載置面が、傾斜面に形成されていて、試薬容器を傾斜姿勢で載置できるようにしてあるとともに、前記試薬容器と一直線上に配置される試薬受容セルのセル体の上面が前記試薬容器の傾斜する方向に同程度傾斜した傾斜面に形成され、さらに、前記試薬容器内に挿入されるサンプリングノズルの先端の最下降位置が、この傾斜姿勢に保持された試薬容器の内部の最低位部位の直前に設定されていることを特徴とする試薬容器の傾斜設置装置。
【請求項３】
前記試薬容器および試薬受容セルを纏めて開閉する蓋が設けられている請求項１または２に記載の試薬容器の傾斜設置装置。
【発明の詳細な説明】
【０００１】
【発明の属する技術分野】
この発明は、例えば血液などの検体を検査する装置における試薬容器の傾斜設置装置に関する。さらに詳しくは、前記検体を検査するために使用される試薬を収容する容器の設置装置の改良に関する。
【０００２】
【従来の技術】
血液などの検体を検査するための検体検査装置には、検体検査のために、多くの試薬が日常的に使用されている。そして、この試薬を収容するための容器は、図８に示されるように、容器０１の底０２が全域にわたって、中央を最も高くして、容器内方に凸に湾曲した凸曲面０３に形成されていた。その主たる目的は、容器の高い自立性を図るためである。また、この容器を載置するためのホルダー０４は、この容器０１が常に鉛直姿勢に保たれるように、載置面０５が水平に設定されている。さらに、この容器０１内の試薬０６を抽出するサンプリングノズルなどの抽出手段０７は、この容器０１の中心部分に挿入される構造であった。つまり、前記底０２の凸曲面０３の一番盛り上がった部位までしか挿入されない構造になっていた。
【０００３】
【発明が解決しようとする課題】
しかしながら、このような容器に試薬を注入して検体検査装置に設置し、サンプリングノズルなどの抽出手段で、この容器内の試薬を抽出してゆくと、最終的には、底の前記中央の凸曲面の頂点を限界として、これよりも下位に残存する試薬は、抽出できなかった（図８）。そして、この残存した試薬は、往々にして廃棄されていた。この試薬は、言うまでもなく非常に高価なために、たとえ少量といえども廃棄されることは、大変不経済であった。併せて、前記のように、自立性を高めるために、容器底部の凸曲面を形成する手段は、容器の製造コストを押し上げていた。
【０００４】
本発明は、高価な試薬をほとんど最後の一滴まで抽出でき、併せて経済的な検体検査を行うことができるようにすることを課題とする。
【０００５】
【課題を解決するための手段】
請求項１の発明では、血液などの検体を検査するための装置において、試薬容器を載置するホルダーの試薬容器の載置面が、傾斜面に形成されていて、試薬容器を傾斜姿勢で載置できるようにしてあるとともに、前記試薬容器と一直線上に配置される試薬受容セルのセル体の上面が前記試薬容器の傾斜する方向に同程度傾斜した傾斜面に形成されている。
【０００６】
上記請求項１に記載の発明によれば、試薬容器は、ホルダーに載置されると、自然に傾斜した載置姿勢が保持される。その結果、試薬は、順次抽出され、残り少なくなってきても、重力によって自然に、この傾斜した姿勢の試薬容器の内部最低位部位に流下される。そして、図１に示されるように、この傾斜した姿勢の試薬容器の内部最低位部位に滞留することになる。そして、前記試薬容器と一直線上に配置される試薬受容セルのセル体の上面が前記試薬容器の傾斜する方向に同程度傾斜した傾斜面に形成されているので、試薬容器と試薬受容セルとを一つの蓋で一挙に開閉することができる。
【０００７】
したがって、請求項１に記載の発明は次の効果を有する。
試薬容器内の試薬は、少なくなってきても、必ず試薬容器の内部最低位部位に滞留するので、この滞留部位にサンプリングノズルなどの抽出手段の先端を差し入れることによって、この滞留試薬は、余すところなく抽出される。したがって、高価な試薬を無為に廃棄することもなく、最後まで使用でき、経済性を向上できる。そして、試薬容器と試薬受容セルとを一つの蓋で一挙に開閉することができるので、試薬容器と試薬受容セルにおける蓋およびその開閉構造が格段に簡素化され、装置をより安価に製造することができる。
【０００８】
また、請求項２に記載の発明は、血液などの検体を検査するための装置において、試薬容器を載置するホルダーの試薬容器の載置面が、傾斜面に形成されていて、試薬容器を傾斜姿勢で載置できるようにしてあるとともに、前記試薬容器と一直線上に配置される試薬受容セルのセル体の上面が前記試薬容器の傾斜する方向に同程度傾斜した傾斜面に形成され、さらに、前記試薬容器内に挿入されるサンプリングノズルの先端の最下降位置が、この傾斜姿勢に保持された試薬容器の内部最低位部位の直前に設定されている。
【０００９】
上記請求項２に記載の発明によれば、試薬容器は、ホルダーに載置されると、自然に傾斜した載置姿勢が保持される。そして、サンプリングノズルは、この試薬容器の内部最低位部位に狙いを定めて挿入されていく。その結果、試薬は、残り少なくなってきても、重力によって自然に、この傾斜姿勢に保持された試薬容器の内部最低位部位に流下される。そして、図１に示されるように、この試薬容器の内部最低位部位に滞留することになり、サンプリングノズルは、この試薬容器の内部最低位部位に滞留する試薬に的確にその先端を挿入できる。
【００１０】
したがって、請求項２に記載の発明では、自動化にも容易に対応できながら、高価な試薬を無為に廃棄することもなく、最後まで使用でき、経済性を向上できる。また、請求項１に記載の発明と同様に、試薬容器と試薬受容セルとを一つの蓋で一挙に開閉することができるので、試薬容器と試薬受容セルにおける蓋およびその開閉構造が格段に簡素化され、装置をより安価に製造することができる。
【００１１】
さらに、請求項３に記載の発明は、上記請求項１または２に記載の試薬容器の傾斜設置装置において、前記試薬容器および試薬受容セルを纏めて開閉する蓋が設けられている。このようにした場合、試薬容器および試薬受容セルまわりの構造並びに作動の簡素化を格段に向上でき、併せて装置を廉価に製造、かつ、提供できる利点がある。
【００１２】
【発明の実施の形態】
発明の実施の形態を、図面の記載を参照にしながら説明する。図１〜図７は、この発明の一つの実施の形態を示すもので、本発明に係る試薬容器の傾斜設置装置を全血血球免疫測定装置に採用した例に基づいて説明する。
【００１３】
まず、図２は、この発明の全血血球免疫測定装置の一例を、側面パネルを取り外した状態で示す斜視図である。図３は、この全血血球免疫測定装置の全体の構成を概略的に示す図である。これらの図において、１は装置ケースで、その前面部２側には、検体セット部３が内方に凹んだ状態で形成されている。この検体セット部３には、検体としての全血４を収容した検体容器５をセットするための、検体容器ホルダー６が収容される。
【００１４】
この検体容器ホルダー６は、図４にも示されるように、検体容器５を保持するための、径の異なる複数個の挿入穴６ａ（図示例では４個）が備わっている。検体容器５の大きさに応じて、適宜に挿入穴６ａを選択できるようにするためである。また、この検体容器ホルダー６は、図７に示すように、その底の中心を通る縦軸線Ｐを中心に回転自在に保持されている。さらに、水平な軸線（図外）中心に揺動自在に保持されている。前記検体容器ホルダー６を、検体セット部５内方から手前側に傾斜させて引出し、さらに、これを前記縦軸線Ｐを中心に回転させることによって、必要とする挿入穴６ａを手前側に位置させる。検体容器５を前記挿入穴６ａに挿抜しやすくするためである。
【００１５】
そして、図２，図４に示されるように、装置ケース１の側面部７の下方には、前面部２に近い側から順に、免疫測定を行う免疫測定部８、血球測定を行う血球計数測定部９が、前面側から見て一直線状に配置されている。この血球計数測定部９の下方には、複数の電磁弁１０ａからなる電磁弁部１０が設けられている。また、側面部７の上方には、図２，図３に示されるように、検体セット部５と血球計数測定部９との間を直線的に移動する、プローブユニット部１１が設けられている。
【００１６】
また、図３において、１２は定注器、１３は希釈液容器、１４は溶血試薬容器、１５はポンプであり、これら１３〜１５はいずれも電磁弁部１０に接続されている。さらに、１６はポンプ１５に接続された廃液容器である。
【００１７】
前記免疫測定部８は、この実施の形態においては、ＣＲＰ（急性期蛋白であるＣ−反応性蛋白）を測定するように構成されている。すなわち、図３，図７に示されるように、ＣＲＰを測定するために形成される試薬受容セル１７と、光照射部１７ａ及び光検出部１７ｂを備えるとともに、前記試薬受容セル１７にフロー測光セル流路１７ｃを介して一連に連なって設けられたフロー測光セル１７Ａとから形成されている。そして、この試薬受容セル１７の内部に収容される液を適宜攪拌できるように構成されている。１８，１９，２０はＣＲＰ測定に用いられる試薬を収容した試薬容器で、それぞれ、溶血試薬（以下、Ｒ１試薬という）、緩衝液（以下、Ｒ２試薬という）、抗ヒトＣＲＰ感作ラテックス免疫試薬（以下、Ｒ３試薬という）が収容されている。
【００１８】
そして、前記試薬受容セル１７及び試薬容器１８〜２０は、図３，図４，図６に示されるように、検体セット部５における検体容器５のセット位置に対して、一直線状に配置されている。また、これら試薬受容セル１７及び試薬容器１８〜２０は、ソレノイド２１の作動で、上下方向に揺動する蓋２２によって、一括して開閉されるように構成されている。２３は例えばペルチェ素子よりなる電子冷却器２４を備えた、試薬容器ホルダーの一例としてのクーラーボックスで、図示例では試薬Ｒ２，Ｒ３が収容されている。
【００１９】
次に、前記血球計数測定部９は、この実施の形態においては、電気抵抗法により、ＷＢＣ（白血球数）、ＲＢＣ（赤血球数）、ＰＬＴ（血小板数）、ＭＣＶ（赤血球容積）、Ｈｃｔ（ヘマトクリット値）を、また、シアンメトヘモグロビン法における吸光光度法によりＨｇｂ（ヘモグロビン濃度）などをそれぞれ測定するように構成されている。すなわち、図３において、２５はＷＢＣ／Ｈｇｂ血球計数測定セル（以下、単にＷＢＣセルという）で、ＷＢＣを測定するための測定電極２５ａ，２５ｂ及びＨｇｂを測定するための光照射部２５ｃ、受光部２５ｄを備えている。２６はＲＢＣ／ＰＬＴ血球計数測定セル（以下、単にＲＢＣセルという）で、ＲＢＣ及びＰＬＴ測定するための測定電極２６ａ，２６ｂを備えている。これらのセル２５，２６は、ＣＲＰ測定部８における試薬受容セル１７及び試薬容器１８〜２０と一直線になるように配置されている。また、ＷＢＣセル２５は、ノズル３３（後述する）洗浄のための廃液チャンバを兼ねている。
【００２０】
さらに、プローブユニット部１１は、例えば次のように構成されている。すなわち、図２〜図５において、２７はノズルユニットで、このノズルユニット２７は、垂直に立設されたベース部材２８に沿うようにして、水平方向に設けられたタイミングベルト２９によって、水平方向に往復移動できるように構成されている。３０はタイミングベルト２９を駆動するためのモータ、３１はノズルユニット２７に設けられた被ガイド部材３２をガイドする一対のガイド部材で、これらはベース部材２８に適宜の部材を介して取り付けられている。
【００２１】
３３はサンプリングノズルで、図２，図３、図５〜図７に示されるように、ノズルユニット２７内をタイミングベルト３４によって上下方向に移動する、ノズル保持体３５に取り付けられている。このサンプリングノズル３３の先端側（下端側）は、ノズルユニット２７内に設けられたノズル洗浄器３６を挿通し、先端部外周が洗浄されるように構成されている。３７はタイミングベルト３４を駆動するためのモータである。３８はサンプリングノズル３３がホームポジション位置（定位置）にあるか否かを検出するセンサである。
【００２２】
そして、図３において、３９は装置の各部を総合的に制御し、併せてＣＲＰ測定部８及び血球計数測定部９からの出力を用いて各種の演算を行う、制御・演算装置としてのマイクロコンピュータ（ＭＰＵ）である。４０はＭＰＵ３９からの指令に基づいて電磁弁部１０、プローブユニット部１１のモータ３０，３７などに駆動信号を送るドライバである。４１は、ＣＲＰ測定部８及び血球計数測定部９からの出力信号を処理してＭＰＵ３９に送る信号処理部である。また、前記ＭＰＵ３９には、図示しないが、ここにおいて処理されて得られる結果などを表示する装置で、例えばカラーディスプレイ、そして出力装置としてのプリンタなどが接続されている。
【００２３】
なお、図３において、点線は、検体４や各種の試薬などの流れを示す。また、やや太い一点鎖線は、制御信号を示す。さらに、細い一点鎖線は、測定によって得られる信号の流れを示している。
【００２４】
また、図７に示されるように、前記フロー測光セル１７Ａの出口側流路１７ｄには、液移動用の定注器１７ｅが三方切替弁（電磁弁）１０ｂを介して連通連結されている。この出口側流路１７ｄの端末は、図３に示されるように、前記ポンプ１５を介して前記廃液容器１６に接続される。
【００２５】
さらに、前記検体容器５、希釈液容器１３、溶血試薬容器１４、試薬受容セル１７、フロー測光セル１７Ａ、フロー測光セル流路１７ｃ、出口側流路１７ｄ、試薬容器１８〜２０、サンプリングノズル３３等は、ガラスまたは四フッ化エチレン樹脂、あるいはステンレス鋼など、少なくとも耐化学薬品性に優れた素材が採用される。また、耐熱性を備えた素材であれば、なお望ましい。
【００２６】
上記のように構成された全血血球免疫測定装置において、試薬容器１８〜２０のホルダーは、以下のように構成されている。
図１，図６に示されるように、Ｒ１試薬を収容する試薬容器１８の試薬容器ホルダー４２と、Ｒ２試薬を試薬容器１９、そしてＲ３試薬を収容する試薬容器ホルダー、つまり前記電子冷却器２４を備えたクーラーボックス２３とには、それぞれ前記試薬容器１８〜２０を保持するための、断面円形の挿入穴４３が形成されている。
【００２７】
前記挿入穴４３は、図１に示されるように、その軸線Ｏがその上方側ほど、前記装置ケース１の側面部７手前側に位置するようにして、傾斜した形で形成されている。また、試薬容器の載置面としての底面４４は、この軸線Ｏに直行する方向に沿って偏平な面に形成されている。
【００２８】
したがって、前記挿入穴４３に挿入保持される各試薬容器１８〜２０は、図１に示されるように、底Ｂ１よりも上方の口部Ｂ２がより前記装置ケース１の側面部７手前側に位置する傾斜姿勢を保って保持されることになる。
【００２９】
また、前記試薬容器１８〜２０に挿入された前記サンプリングノズル３３の先端３３ａの最降下位置が、この傾斜姿勢に保持された試薬容器１８〜２０の内部最低位部位Ｂ４の直前に設定されている。
【００３０】
さらに、本発明では、図５に示されるように、前記試薬受容セル１７も前記試薬容器１８〜２０と同様に、傾斜姿勢に設定されている。この試薬受容セル１７は、図７に示されるように、セル体４５に試薬受容のための上方開放の孔４６が穿たれている。そして、その軸線が、前記各試薬容器１８〜２０の挿入穴４３の軸線Ｏと同じ傾斜角度（図例では８度）に設定され、上方側ほど、前記装置ケース１の側面部７手前側に位置するようにして、傾斜した形で形成されている。また、その挿入穴４６に連なるセル体４５の上面４７も、前記装置ケース１の側面部７手前側ほど下位になるような傾斜面に形成されている。
【００３１】
上記のように、試薬受容セル１７も傾斜して設けられると、次の効果を有する。すなわち、前記試薬容器１８〜２０と、この試薬受容セル１７とを、纏めて一挙に開閉する前記蓋２２を一つで賄える。したがって、構造並びに作動の簡素化を格段に向上でき、併せて装置を廉価に製造、かつ、提供できる利点がある。
【００３２】
次に上記全血血球免疫測定装置の動作について説明する。
【００３３】
まず、図２に示される測定キーＳ（前記検体セット部３の開閉扉がスイッチ機能を備え、これを閉止することで、ＯＮ作動され、逆に開くことでＯＦＦ作動される。）をオンすると、定位置にあるサンプリングノズル３３は、Ｒ２試薬（試薬容器１９）の位置に移動し、Ｒ２試薬を吸引する。この試薬吸引の後、サンプリングノズル３３は、ＷＢＣセル２５位置に移動し、サンプリングノズル洗浄器３６に洗浄液としての希釈液が供給されて、サンプリングノズル３３の外面が洗浄される。その後、サンプリングノズル３３はＲ２試薬の位置に復帰する。
【００３４】
次いで、サンプリングノズル３３は、Ｒ１試薬（試薬容器１８）の位置に移動し、Ｒ１試薬を吸引する。この試薬吸引の後、サンプリングノズル３３はＷＢＣセル２５位置に移動し、サンプリングノズル洗浄器３６に希釈液が供給されて、サンプリングノズル３３の外面が洗浄される。その後、サンプリングノズル３３はＲ１試薬の位置に復帰する。
【００３５】
そして、サンプリングノズル３３は、検体セット位置（検体容器５）に移動し、検体容器５内の検体（全血）３をＣＲＰ測定のために吸引する。この検体吸引の後、サンプリングノズル３３はＷＢＣセル２５位置に移動し、サンプリングノズル洗浄器３５に希釈液が供給されて、サンプリングノズル３３の外面が洗浄される。その後、サンプリングノズル３３は検体の位置に復帰する。
【００３６】
そして、サンプリングノズル３３は、試薬受容セル１７の位置に移動し、検体４、Ｒ１試薬、Ｒ２試薬を試薬受容セル１７内に吐出する。
【００３７】
次いで、前記吐出を終わったサンプリングノズル３３は、ＷＢＣセル２５位置に移動し、内部に残留している検体４などをＷＢＣセル２５内に吐出した後、その内外を希釈液で洗浄される。
【００３８】
前記洗浄が終わったサンプリングノズル３３は、検体セット位置（検体容器５）に移動し、検体容器５内の検体４をＣＢＣ測定のために吸引する。この検体吸引の後、サンプリングノズル３３はＷＢＣセル２５位置に移動し、サンプリングノズル洗浄器３６に希釈液が供給されて、サンプリングノズル３３の外面が洗浄される。
【００３９】
前記洗浄が終わったサンプリングノズル３３は、ＷＢＣセル２５内に検体４を吐出する一方、希釈液容器１３内の希釈液が、電磁弁部１０を介してＷＢＣセル２５内に所定量注入され、ＣＢＣ検体の一次希釈が行われる。
【００４０】
ＷＢＣセル２５位置にあるサンプリングノズル３３は、前記一次希釈されたＣＢＣ検体を所定量吸引する。引き続き、ＲＢＣセル２６に移動し、前記吸引した一次希釈されたＣＢＣ検体を、このセル２６に吐出する。時を同じくして、希釈液容器１３内の希釈液が、電磁弁部１０を介して、ＲＢＣセル２６内に所定量注入され、ＣＢＣ検体の二次希釈が行われる。
【００４１】
上記一次希釈、二次希釈を終わった後、溶血剤容器１４内の溶血剤が、電磁弁部１０を介して、ＷＢＣセル２５内に所定量注入され、ＷＢＣとＨｇｂの測定が行われる。一方、ＲＢＣセル２６では、ＲＢＣとＰＬＴの測定が行われ、そのときのデータは信号処理部４１を経て、ＭＰＵ３９に取り込まれる。
【００４２】
前記測定が終わると、ＷＢＣセル２５とＲＢＣセル２６は希釈液で洗浄される。
【００４３】
上述したように、血球計数測定部９においてＣＢＣ測定が行われている期間中（約６０秒間）は、試薬受容セル１７内において、検体４、Ｒ１試薬、Ｒ２試薬の間で溶血反応が進行し、併せて妨害物質が除去される。
【００４４】
ＣＢＣ測定が終わると、ＲＢＣセル２６の位置にいたサンプリングノズル３３がＲ３試薬（試薬容器２０）の位置に移動し、Ｒ３試薬を吸引する。この試薬吸引の後、サンプリングノズル３３は、試薬受容セル１７位置に移動し、Ｒ３試薬を試薬受容セル１７内に吐出する。これによって、Ｒ３試薬が、前記検体４、Ｒ１試薬、Ｒ２試薬の反応液内に混入される。
【００４５】
そして、試薬受容セル１７において前記液が十分に攪拌され、免疫反応が生じてＣＲＰ測定が行われ、そのときのデータは、信号処理部４１を経てＭＰＵ３９に取り込まれる。前記測定が終わると、試薬受容セル１７は希釈液で洗浄され、すべての測定が終わる。
【００４６】
前記Ｒ３試薬、検体４、Ｒ１試薬、Ｒ２試薬の攪拌は、以下のようにして行われる。図３，図７に示されるように、前記三方切替弁（電磁弁）１０ｂを、前記定注器１７ｅと前記フロー測光セル１７Ａとが連なるように、切り替えておき、定注器１７ｅを作動させる。
【００４７】
前記定注器１７ｅの作動によって、この定注器１７ｅ内の空気が、前記出口側流路１７ｄに出たり入ったりする。その結果、前記試薬受容セル１７内に充填されているＲ３試薬、検体４、Ｒ１試薬、Ｒ２試薬は、試薬受容セル１７、フロ−測光セル１７Ａ、そして両者を繋ぐフロー測光セル流路１７ｃの間をゆききする。この作動を数回繰り返すことによって、前記の液の十分な攪拌が行われるのである。
【００４８】
前記ＭＰＵ３９では、血球計数測定部９で行われたＣＢＣ測定によって得られたデータに基づいて、ＲＢＣ（赤血球数）、赤血球容積（ＭＣＶ）、などの測定値が得られる。また、ＭＰＵ３９では、ＣＲＰ測定部８で行われたＣＲＰ測定によって得られたデータに基づいて、所定時間当たりの吸光度変化を、あらかじめ既知濃度の血清（又は血漿）より求めておいた検量線から、全血中のＣＲＰ濃度が得られる。
【００４９】
この場合、ＣＲＰ測定については、ＣＢＣ測定と同様に、検体４として抗凝固剤添加の全血を用いているため、この全血を用いることによって生ずる、血漿成分容積誤差を補正する必要がある。そこで、この全血血球免疫測定装置では、ＣＢＣ測定によって得られるＲＢＣ（赤血球数）と赤血球容積（ＭＣＶ）とからヘマトクリット値（Ｈｃｔ）を求め、このヘマトクリット値を用いて、ＣＲＰ測定によって得られる全血中のＣＲＰ濃度を、下記の補正式によって補正し、血漿中のＣＲＰ濃度を求めるのである。
【００５０】
すなわち、全血中のＣＲＰ濃度をＡとし、ヘマトクリット値をＢとすると、血漿中のＣＲＰ濃度Ｃは、
Ｃ＝Ａ×１００／（１００−Ｂ）
なる式によって求められる。
【００５１】
前記ＭＰＵ３９によって得られた各測定値は、例えばＭＰＵ３９に内蔵されたメモリに記憶される一方、図外表示装置に項目別に表示されたり、図外のプリンタによって出力される。
【００５２】
そして、上述したように、この全血血球免疫測定装置においては、ＣＲＰ測定部８において、溶血及び妨害物質除去反応を起こさせている間に、ＣＢＣ測定部９において、血球測定を行うようにしている。したがって、ＣＲＰ測定及びＣＢＣ測定のトータル時間を短縮できる。併せて前述したＣＲＰ測定によって得られる結果を、ＣＢＣ測定によって得られる結果によって行う補正をスムーズに行える。
【００５３】
また、前記全血血球免疫測定装置の前記試薬容器１８〜２０のクーラーボックス２３並びに試薬容器ホルダー４２による保持姿勢と、この各試薬容器１８〜２０に対する前記サンプリングノズル３３の挿入最終位置、つまり最降下位置の特異な設定条件とがうまく作用して、高価な試薬を無為に廃棄することなく、最後まで効果的に使用できる格段の利点がある。
【００５４】
つまり、前記試薬容器１８〜２０が、前記のような傾斜姿勢に保持されることによって、内部に収容される試薬は、その残量が少なくなってくると、図１に示されるように、重力によって自然にこれら試薬容器１８〜２０の内部最低位部位Ｂ４に流下される。そして、最終的には、この試薬容器１８〜２０の内部最低位部位Ｂ４に滞留することになる。
【００５５】
このように、試薬容器１８〜２０が傾斜姿勢で保持され、併せてこの試薬容器に挿入された前記サンプリングノズル３３の先端３３ａの最下降位置が、試薬容器１８〜２０内部最低位部位Ｂ４に設定されていることによって、この試薬容器１８〜２０の内部最低位部位Ｂ４に滞留する試薬に、的確にこのサンプリングノズル３３の先端３３ａを挿入することができ、残り少なくなった試薬を余すことなく抽出できる。
【００５６】
したがって、高価な試薬を無為に廃棄することもなく、最後まで使用でき、経済性を向上できる。また、装置の自動化に当たり、上記の試薬容器１８〜２０とサンプリングノズル３３との相対的な位置の設定は、経済的な試薬の抽出に格段に有効に作用する。
【００５７】
．
そして、前記試薬容器１８〜２０と一直線上に配置される試薬受容セル１７のセル体４５の上面４７が前記試薬容器１８〜２０の傾斜する方向に同程度傾斜した傾斜面に形成されているので、試薬容器１８〜２０と試薬受容セル１７とを一つの蓋２２で一挙に開閉することができる。したがって、試薬容器と試薬受容セルにおける蓋およびその開閉構造が格段に簡素化され、装置をより安価に製造することができる。
【図面の簡単な説明】
【図１】  この発明に係る試薬容器の傾斜設置装置を採用した全血血球免疫測定装置の実施の形態の一例を示し、要部の一部切欠き拡大縦断面図である。
【図２】  前記全血血球免疫測定装置を、側面パネルを取り外した状態で示す概観図である。
【図３】  前記全血血球免疫測定装置の全体の構成を概略的に示す説明図である。
【図４】  前記全血血球免疫測定装置の要部の説明図で、検体セット部、免疫測定部、血球測定部の配置関係を説明する概略平面図である。
【図５】  前記全血血球免疫測定装置の要部の説明図で、検体セット部、免疫測定部、血球測定部とサンプリングノズルとの配置関係を説明する概略側面図である。
【図６】  前記全血血球免疫測定装置の要部の説明図で、図５中のＡ−Ａ線縦断面図である。
【図７】  前記全血血球免疫測定装置の要部の説明図で、検体セット部、免疫測定部、血球測定部とサンプリングノズルとの配置関係を説明する概略説明図である。
【図８】  従来の構成を示す要部の拡大縦断説明図である。
【符号の説明】
４…検体、１７…試薬受容セル、１８，１９，２０…試薬容器、２２…蓋、２３，４２…試薬容器ホルダー、３３…サンプリングノズル、３３ａ…先端、４５…セル体、４７…上面、Ｂ１…底、Ｂ２…口部、Ｂ３…周壁、Ｂ４…最低位部位。
【図１】
0003776234.tif 000002
【図２】
0003776234.tif 000003
【図４】
0003776234.tif 000004
【図５】
0003776234.tif 000005
【図６】
0003776234.tif 000006
【図７】
0003776234.tif 000007
【図８】
0003776234.tif 000008
【図３】
0003776234.tif 000009